(57)【特許請求の範囲】
【請求項１】
複数のホースと複数のパイプとを集束してワンタッチで接続する集束ホース用ワンタッチ接続装置であって；
複数の開口を設けた平板状基部と、平板状基部の両端からその裏面側にほぼ直角に突き出た係止用脚部と、平板状基部の両方の側端縁からその裏面側にほぼ直角に延長した２つの補強板とを有し、平板状基部の各開口に各々ホース挿着用のコネクターをそのパイプ挿入孔を平板状基部の裏面側に向けて保持したホルダーと；
平板部と、平板部の両側部分を略Ｕ字状に曲折して平板部の両端からほぼ直角方向に延長した、前記ホルダーの係止用脚部と係合する係止用側端部とを有し、前記ホルダーに保持された各コネクターと同一の間隔で整列した複数のパイプを平板部の長手方向に対して直角に且つ平板部の表面に各パイプの側面を接せしめて固定したブラケットとからなり；
前記ホルダーとブラケットを係合させて複数のホースと複数のパイプとを接続する際に、ホルダーの片方の補強板の長さがブラケットの両側の係止用側端部間に当接して挿入され、同時にホルダーの他方の補強板の両端がブラケットの略Ｕ字状に曲折した両側部分の内側に当接した状態で、ホルダーの平板状基部に保持された各コネクターの軸とブラケットの平板部に固定された各パイプの軸とが一致するように構成されていることを特徴とする集束ホース用ワンタッチ接続装置。
【請求項２】
ホルダーの係止用脚部とブラケットの係止用側端部には、互いに係合するように係止凸部と係止孔のいずれかが形成されていることを特徴とする、請求項１に記載の集束ホース用ワンタッチ接続装置。
【請求項３】
ホルダーの開口の直径がコネクターの係合部の直径よりも大きく形成され、コネクターがホルダーの開口内で回転且つ移動可能に緩く保持されていることを特徴とする、請求項１又は２に記載の集束ホース用ワンタッチ接続装置。
【請求項４】
ブラケットに固定した各パイプの先端部がホルダーに保持された各コネクターにそれぞれ嵌着され、同時にホルダーの係止用脚部とブラケットの係止用側端部が互いに係合した状態で、ホルダーの平板状基部に対してブラケットの平板部が直角方向に位置して一体化されていることを特徴とする、請求項１〜３のいずれかに記載の集束ホース用ワンタッチ接続装置。
【発明の詳細な説明】
【０００１】
【発明の属する技術分野】
本発明は、複数のホースと複数のパイプとを集束して、各々を同時にワンタッチで接続することができる接続装置に関する。
【０００２】
【従来の技術】
従来から、ホースとパイプを接続する場合にはコネクターを使用し、ホースをコネクターの一端に挿着して、その外周をクランプやバンド等の締結具で固定すると共に、コネクターの他端のパイプ挿入孔にパイプの先端部を嵌着することにより、ホースとパイプとを相互に接続している。また、コネクターとしては、そのパイプ挿入孔にパイプを挿入するだけで、パイプ先端部の環状凸部がコネクターの凹部又は穴部と係合して抜け止めされる、いわゆるワンタッチ式のコネクターが一般に広く使用されている。
【０００３】
しかし、このような従来の接続方法では、ホースとパイプとをコネクターを用いて１つ１つ接続するため、作業が面倒で時間がかかり、作業効率が非常に悪かった。特に、自動車の配管系統等のように、狭い場所で複数のホースと複数のパイプとを相互に接続する場合には、作業スペースが狭いため、接続作業が極めて困難で作業効率が一層低下するうえ、個々の作業に不手際が生じやすく、接続不良を起こすことが多かった。
【０００４】
【発明が解決しようとする課題】
本発明は、このような従来の事情に鑑みてなされたものであり、複数のホースと複数のパイプとを一括して簡単に接続でき、作業スペースが狭い場合にも効率良く且つ確実な接続が可能な、ホースとパイプの接続装置を提供することを目的とする。
【０００５】
【課題を解決するための手段】
上記目的を達成するため、本発明が提供するホースとパイプの接続装置は、複数のホースと複数のパイプとを集束してワンタッチで接続する集束ホース用ワンタッチ接続装置であって；
複数の開口を設けた平板状基部と、平板状基部の両端からその裏面側にほぼ直角に突き出た係止用脚部と、平板状基部の両方の側端縁からその裏面側にほぼ直角に延長した２つの補強板とを有し、平板状基部の各開口に各々ホース挿着用のコネクターをそのパイプ挿入孔を平板状基部の裏面側に向けて保持したホルダーと；
平板部と、平板部の両側部分を略Ｕ字状に曲折して平板部の両端からほぼ直角方向に延長した、前記ホルダーの係止用脚部と係合する係止用側端部とを有し、前記ホルダーに保持された各コネクターと同一の間隔で整列した複数のパイプを平板部の長手方向に対して直角に且つ平板部の表面に各パイプの側面を接せしめて固定したブラケットとからなり；
前記ホルダーとブラケットを係合させて複数のホースと複数のパイプとを接続する際に、ホルダーの片方の補強板の長さがブラケットの両側の係止用側端部間に当接して挿入され、同時にホルダーの他方の補強板の両端がブラケットの略Ｕ字状に曲折した両側部分の内側に当接した状態で、ホルダーの平板状基部に保持された各コネクターの軸とブラケットの平板部に固定された各パイプの軸とが一致するように構成されていることを特徴とするものである。
【０００６】
【発明の実施の形態】
本発明の集束ホース用ワンタッチ接続装置は、例えば図１に示すように複数のコネクター４を保持したホルダー１と、例えば図２に示すように複数のパイプ８を固定したブラケット５とで構成されている。このように、ホースを挿着する複数のコネクターが１つのホルダーに集束され、複数のパイプが１つのブラケットに集めて固定されているので、このホルダーとブラケットを互いに係合して一体化することにより、同時に複数のコネクターと複数のパイプとを一括してワンタッチで接続することができる。
【０００７】
即ち、ホルダーの平板状基部には、コネクターを保持するための複数の開口が形成されている。各開口は平板状基部の長手方向に一直線上に配列され、且つ好ましくは互いに等間隔で配置されている。この複数の開口は一列でも良いが、平板状基部の幅を大きくして複数列の開口を設けることもできる。これらの各開口には、それぞれコネクターを圧入等により嵌め込み、そのパイプ挿入孔を平板状基部の裏面側に向けて保持できるようになっている。尚、コネクターは従来公知のものを使用できるが、ホルダーの平板状基部の開口に確実に保持されるように、コネクターの外周面の少なくとも一部にホルダーの開口の縁と係合する溝又は突起が形成されていることが好ましい。
【０００８】
ホルダーの平板状基部の片方又は両方の側端縁からは、補強板が平板状基部の裏面側にほぼ直角に延長して設けてある。この補強板によって、ホルダーの細長い平板状基部がその長手方向に湾曲するなど、変形を起こすことがなくなるので、ブラケットとの係合の際にブラケットに固定されているパイプとの相対的な位置がずれることを防止できる。尚、ホルダーの補強板は、ブラケットとの係合の邪魔にならないように、その位置や形状を定める必要がある。また、平板状基部の裏面に開口を避けて、補強用のリブを設けることもできる。
【０００９】
一方、ブラケットの平板部には、複数のパイプがその側面と平板部の表面とを接し、材質に応じてロウ付けや接着剤等により固定されている。このときの複数のパイプの配列状態は、各パイプが平板部の長手方向に対して直角で且つ各パイプの側面が平板部の表面に接していると共に、各パイプは前記ホルダーに保持された複数のコネクターと同じ間隔で平板部の表面に沿って並んでいる。このような配列状態をとることにより、ホルダーとブラケットを係合したときに、それぞれに保持されている複数のコネクターと複数のパイプとが、個々に位置合わせをしなくても、そのまま一括して嵌合し接続されるのである。
【００１０】
また、上記のごとく、複数のパイプはブラケットの平板部の長手方向に対して直角に且つパイプの側面と平板部の表面を接して固定され、複数のコネクターはホルダーの平板状基部にほぼ直角に保持されているので、夫々のパイプを各コネクターに嵌挿するとき、ホルダーの平板状基部とブラケットの平板部とは互に直角方向に位置する。このため、補強板を有するホルダーとブラケットとが一体化したとき、全体を箱状にコンパクトに構成することができる。
【００１１】
更に、ホルダーに保持される各コネクターは、開口内で回転且つ移動可能に緩く保持されていることが好ましい。そのためには、ホルダーの開口の直径を、コネクターの係合部の直径よりもある程度大きく形成することが好ましい。その場合、各開口当たりコネクターとの間に０.５ｍｍ以上の隙間を設けることが好ましい。このようにコネクターをホルダーの開口に緩く保持することにより、コネクターの軸をホルダーの長さ方向及び幅方向に若干移動させたり、或はコネクターの軸をホルダーに対して傾斜させることができる。
【００１２】
従って、ブラケットに固定したパイプをコネクターのパイプ挿入孔に挿入する際に、各パイプの固定位置が若干ずれていても、上記のようなコネクターの移動によりパイプのずれを吸収して、スムースに嵌着することができる。また、補強板がブラケットのパイプと反対側（裏面側）に来るように、ホルダーの片側の側端縁にのみ設ければ、補強板のないブラケットの表面側からパイプの先端部とコネクターのパイプ挿入孔とを容易に目視することができ、両者の位置合わせが非常に簡単にできるという利点がある。
【００１３】
上記ホルダーとブラケットとは、ホルダーの平板状基部の両端に設けた係止用脚部と、ブラケットの両側の係止用側端部との係合により、一体的に組み付けるようになっている。そのため、ホルダーの係止用脚部に係止凸部を設け、且つブラケットの係止用側端部にはこの係止凸部が係合する係止孔を設けるか、あるいは係止凸部と係止孔をこの逆に設けることが好ましい。しかし、係合手段はこれに限られず、例えばネジ止めその他の手段を用いることも可能である。
【００１４】
尚、ホルダーの平板状基部と係止用脚部の幅、及びブラケットの平板部と係止用側端部の幅は、ホルダーとブラケットの係合や補強板の形成に支障がない範囲で、それぞれ同じ幅にも異なる幅にも形成することが可能である。また、上記のごとくホルダーの平板状基部とブラケットの平板部を互に直角方向に位置させる関係から、ホルダーの係止用脚部は平板状基部の裏面側、即ち保持されたコネクターのパイプ挿入孔側に突き出して、平板状基部に対してほぼ直角に設けると共に、一方のブラケットの係止用側端部もその平板部に対してほぼ直角に形成することが望ましい。
【００１５】
更に、ホルダーとブラケット及びパイプの材質は特に限定されず、樹脂や金属又はこれらの複合材料等であって良いが、ブラケットに金属パイプをロウ付けや溶接で固定する場合には、ブラケットも金属製とする必要がある。更に、ホルダーとブラケットを係止凸部と係止孔で係合する場合には、ホルダーの脚部とブラケットの側端部にはある程度の弾性を備えた材料を使用する必要がある。
【００１６】
このように、本発明の集束ホース用ワンタッチ接続装置では、個々のホルダーとパイプとを１つ１つ接続する必要がなくなり、複数のホースと複数のパイプとがコネクターを介してワンタッチで簡単かつ迅速に接続される。尚、ホースはコネクターに予め挿着しておくか、又はホルダーにコネクターを嵌着してから挿着することができる。
【００１７】
【実施例】
本発明の集束ホース用ワンタッチ接続装置の具体例を、図面を参照して詳しく説明する。ホルダー１は合成樹脂製であって、図１及び図３に示すように、幅２０ｍｍで長さ１００ｍｍ、厚さ２.５ｍｍの平板状基部２には、直径１０.５ｍｍの開口２ａが互いに１６ｍｍの均等な間隔で５個設けてある。平板状基部２の片方の側端縁には中央部に長さ７８ｍｍで幅９.５ｍｍの第１の補強板２ｂが、他方の側端縁には長さ１００ｍｍで幅９.５ｍｍの第２の補強板２ｃが、それぞれ裏面側に延長して設けてある。また、平板状基部２の両端には、その裏面側に幅１０ｍｍで長さ１５ｍｍの係止用脚部３が直角に突き出して形成され、その先端部には後述するブラケットとの係合のための係止凸部３ａが設けてある。
【００１８】
ホルダー１の各開口２ａにはそれぞれ合成樹脂製のコネクター４が圧入され、そのパイプ挿入孔４ａを平板状基部２の裏面側、即ち係止用脚部３の突出方向に向けて保持されている。各コネクター４は、図４に示すように、公知の構造のワンタッチ式コネクターであって、その外周面の一部に溝４ｂ又は突起が設けてあり、この溝４ｂ又は突起がホルダー１の開口２ａの縁と係合してホルダー１から外れないようになっている。このコネクター４の係合部、即ち溝４ｂの部分における直径は１０.０ｍｍであり、ホルダー１の開口２ａの直径の方が０.５ｍｍ大きく形成してある。また、コネクター４の内側には、挿入されるパイプ８とのシール性を確保するため、図４に示すごとく、カラー１２で位置決めされたＯリング１１が嵌装されている。
【００１９】
尚、ホルダー１に保持された各コネクター４の一端（パイプ挿入孔４ａの反対側）には、図５に示すごとく、予め所定のホース９をそれぞれ挿着し、更にそのホース９の外周にクランプ１０やバンド等の締結具を取り付けることによって、ホース９をコネクター４に固定しておくことができる。
【００２０】
一方、図２に示すブラケット５は、幅２０ｍｍで厚さ２ｍｍの帯状の金属板材からなり、その両側の部分を略Ｕ字状に折曲して、中央の平板部６に対して直角方向に伸びた係止用側端部７としたものである。ブラケット５の両側の係止用側端部７の間は、その内側に前記ホルダー１が隙間なく入るように、ホルダー１の平板状基部２の長さと同じ１００ｍｍになっている。また、このブラケット５の各係止用側端部７には、前記ホルダー１の係止用脚部３に設けた係止凸部３ａと係合する係止孔７ａが形成してある。
【００２１】
このブラケット５の中央に位置する平板部６には、５本の金属製のパイプ８が平板部６の長手方向に対して直角に且つ平板部６の表面６ａに各パイプ８の側面が当接した状態で、ロウ付けにより固定してある。この５本のパイプ８は、前記ホルダー１に保持されている５個のコネクター４と同様に、１６ｍｍの間隔で整列して配置されている。尚、各パイプ８のコネクター４に挿入されべきる先端部は、ブラケット５の平板部６から突出していることは言うまでもない。
【００２２】
上記したホルダー１とブラケット５とは、図５及び図６に示すように、ブラケット５に固定された各パイプ８の先端部をホルダー１に保持された各コネクター４のパイプ挿入孔４ａにそれぞれ対向させ、押し込んで各々を一度に嵌着させると同時に、ホルダー１の係止用脚部３の係止凸部３ａがブラケット５の係止用側端部７の係止孔７ａに係合し、一体的に組み立てられる。
【００２３】
即ち、ブラケット５に固定した各パイプ８とホルダー１に保持された各コネクター４は同じ間隔で並んで保持され、樹脂製のホルダー１には補強板２ｂ、２ｃが設けてあるので、両者を対向させたとき軸が一致し、各パイプ８の先端部を対向した各コネクター４のパイプ挿入孔４ａにそのまま嵌着することができる。しかも、ホルダー１の開口をコネクター４の溝４ｂ部分の直径よりも５ｍｍ以上大きく形成すれば、ホルダー１に保持されたコネクター４の軸はホルダー１の長さ方向にも巾方向にも若干移動することが可能であるから、ブラケット５に固定された各パイプ８の位置が若干ずれていても、コネクター４に支障なく挿入することができる。
【００２４】
このようにして、ホルダー１の係止用脚部３がブラケット５の内側に係止用側端部７の幅方向から侵入し、係止凸部３ａが係止孔７ａに嵌合して、ホルダー１とブラケット５が容易に一体化される。この時、図５及び図６に示すように、ホルダー１の平板状基部２とブラケット５の平板部６とは直角方向をなし、且つホルダー１の第１及び第２の補強板２ｂ、２ｃが、互いに嵌着された各コネクター４と各パイプ８を両側から覆い、全体的に箱型状に一体化される。
【００２５】
以上説明したように、本発明の集束ホース用ワンタッチ接続装置によれば、複数のパイプ８と複数のホース９とがそれぞれブラケット５とホルダー１に集束された状態で、複数のコネクター４を介して相互に一括してワンタッチで接続されるので、狭い場所であっても接続作業が極めて簡単であり、迅速且つ確実に接続を行うことができる。また、ホルダー１とブラケット５の着脱が容易であり、パイプ８とコネクター４との間のシール性もＯリング１１により確保できる。
【００２６】
【発明の効果】
本発明によれば、ブラケットに固定した複数のパイプをホルダーに保持した複数のコネクターに一括してワンタッチで簡単に接続でき、作業スペースが狭い場合にも作業効率が良く、シール不良や抜け等の接続不良をなくし、迅速且つ確実な接続が可能である。
【００２７】
しかも、ホルダーは補強板を有するので、ホルダーに保持した複数のコネクターにそれぞれホースを挿着しても、ホルダーが湾曲などの変形を起こすことがなくなり、複数のホルダーと複数のパイプの一括した接続が簡単になる。また、ブラケットに固定した各パイプの位置が若干ずれていても、コネクターをホルダーの開口内で移動可能に保持すれば、各パイプの位置ずれを吸収して、簡単に接続することができる。
【図面の簡単な説明】
【図１】本発明の集束ホース用ワンタッチ接続装置におけるホルダーの一具体例を示す一部切欠正面図である。
【図２】本発明の集束ホース用ワンタッチ接続装置におけるブラケットの一具体例を示す一部切欠平面図である。
【図３】本発明の集束ホース用ワンタッチ接続装置におけるホルダーの要部を示す側面図である。
【図４】本発明に係わるホルダーに嵌合した状態のコネクターを示す断面図である。
【図５】ホルダーとブラケットを組み付けた状態の本発明の集束ホース用ワンタッチ接続装置の一具体例を示す一部切欠正面図である。
【図６】図５の本発明の集束ホース用ワンタッチ接続装置の一具体例を裏側から示した底面図である。
【符号の説明】
１    ホルダー
２    平板状基部
２ａ  開口
２ｂ  第１の補強板
２ｃ  第２の補強板
３    係止用脚部
３ａ  係止凸部
４    コネクター
４ａ  パイプ挿入孔
４ｂ  溝
５    ブラケット
６    平板部
７    係止用側端部
７ａ  係止孔
８    パイプ
９    ホース
１０    クランプ
１１    Ｏリング
１２    カラー
【図１】
0003709672.tif 000002
【図２】
0003709672.tif 000003
【図３】
0003709672.tif 000004
【図４】
0003709672.tif 000005
【図５】
0003709672.tif 000006
【図６】
0003709672.tif 000007